(57)【特許請求の範囲】
【請求項１】
コントローラとエンジンを備え、印刷ジョブの各ページの処理において、前記コントローラが、対象ページの画像を前記エンジンの動作に同期して前記エンジンへ転送する画像転送処理を実行し、前記エンジンが転送された画像に基づいて当該ページの中間転写体への転写を含む印刷動作を実行する、プリンタであって、
前記印刷ジョブの各ページの処理において、前記対象ページの印刷環境が当該対象ページの前のページの印刷環境と異なる場合に、前記画像転送処理の前に、
前記エンジンが、前記前のページについて前記中間転写体への転写が完了したタイミングになると、前記対象ページの印刷環境に合わせるための切替動作を開始すると共に、前記コントローラへ所定の信号を送信し、
前記コントローラは、前記所定信号を受信した後に、前記対象ページの印刷環境に合った処理を行なうために前記コントローラの設定を変更する
ことを特徴とするプリンタ。
【請求項２】
請求項１において、
前記印刷環境が異なるとは、少なくともカラー印刷モードとモノクロ印刷モードを含む印刷モードが異なることである
ことを特徴とするプリンタ。
【請求項３】
コントローラとエンジンを備え、印刷ジョブの各ページの処理において、前記コントローラが、対象ページの画像を前記エンジンの動作に同期して前記エンジンへ転送する画像転送処理を実行し、前記エンジンが転送された画像に基づいて当該ページの中間転写体への転写を含む印刷動作を実行する、プリンタであって、
前記印刷ジョブの各ページの処理において、前記コントローラは、前記対象ページの印刷環境が当該対象ページの前のページの印刷環境と異なるか否かに関わらず、前記画像転送処理のための画像データが準備できた時点で前記エンジンへ印刷指示を出し、前記エンジンから送信される同期信号に基づいて前記画像転送処理を開始し、
前記対象ページの印刷環境が当該対象ページの前のページの印刷環境と異なる場合には、前記エンジンは、前記前のページについて前記中間転写体への転写が完了したタイミングになると、前記対象ページの印刷環境に合わせるための切替動作を開始すると共に、前記コントローラへ切替信号を送信し、前記コントローラは、当該切替信号に基づいて、前記対象ページの印刷環境に合った処理を行なうために前記コントローラの設定を変更する
ことを特徴とするプリンタ。
【請求項４】
コントローラとエンジンを備え、印刷ジョブの各ページの処理において、前記コントローラが、対象ページの画像を前記エンジンの動作に同期して前記エンジンへ転送する画像転送処理を実行し、前記エンジンが転送された画像に基づいて当該ページの中間転写体への転写を含む印刷動作を実行するプリンタ、における印刷制御方法であって、
前記印刷ジョブの各ページの処理において、前記対象ページの印刷環境が当該対象ページの前のページの印刷環境と異なる場合に、前記画像転送処理の前に、
前記エンジンが、前記前のページについて前記中間転写体への転写が完了したタイミングになると、前記対象ページの印刷環境に合わせるための切替動作を開始すると共に、前記コントローラへ所定の信号を送信し、
前記コントローラは、前記所定信号を受信した後に、前記対象ページの印刷環境に合った処理を行なうために前記コントローラの設定を変更する
ことを特徴とする印刷制御方法。
【発明の詳細な説明】
【技術分野】
【０００１】
本発明は、コントローラとエンジンとを備えるプリンタ等に関し、特に、１ジョブ中にカラー印刷とモノクロ印刷が混ざっているなど、１ジョブ中において環境設定の変更が必要な場合に、効率よく印刷を行なうことのできるプリンタ等に関する。
【背景技術】
【０００２】
レーザプリンタなどのプリンタは、一般に、コントローラ部とエンジン部から構成され、コントローラ部は、パソコンなどのホスト装置から受信する印刷要求に基づいて印刷対象の画像データを生成し、エンジン部は、当該画像データに従って紙などの印刷媒体に対する印刷動作を実行する。このようなプリンタにおける印刷処理には、通常、各ページの前記画像データを生成して格納しておく前段の処理と、その格納された画像データを読み出して所定の処理を施した後にエンジンへ転送し、エンジンでの印刷動作を実行する、エンジン動作に同期させた後段の処理とがある。
【０００３】
コントローラ部には、かかる後段の処理において上述したエンジンへのデータ転送処理を司る画像転送部が設けられるが、この画像転送部における処理内容の設定やエンジン部における印刷動作の環境は、処理対象とするページの印刷の種類により適正なものに変更される必要がある。例えば、印刷モードがカラーモードの場合とモノクロモードの場合とでは、画像転送部の設定とエンジン部における環境を異なったものにする必要がある。従って、印刷の１ジョブ中にカラー印刷のページとモノクロ印刷のページが混在している場合には、１ジョブ中に、これら印刷モードの変更に伴った上記設定の変更を行なう必要がある。
【０００４】
そこで、前記後段の処理において、処理しようとするページの印刷モードが前のページの印刷モードと異なる場合には、コントローラ側で前記画像転送部の設定を変更する必要があるが、前のページについてエンジンへのデータ転送処理が完了していないとこの変更が行なえないため、従来は、この設定変更タイミングが早すぎることがないように、前のページについてエンジン部での印刷媒体への印刷が終了しプリンタから排紙されるのを待って、上記設定の変更を行い、その後、当該ジョブの処理を再開させていた。これは、コントローラ側で、前のページについての処理の進行状況やエンジン側の状態を知り得なかったことに起因するものである。
【０００５】
なお、下記特許文献１には、カラー印刷とモノクロ印刷が混在している場合についての一つの技術が示されている。
【特許文献１】特開２０００−３１８２２０号公報
【発明の開示】
【発明が解決しようとする課題】
【０００６】
しかしながら、１ジョブ中にカラー印刷のページとモノクロ印刷のページが混在している場合における上記従来の制御方法では、元来、連続処理を行ないたい１ジョブの処理において、印刷モードが変わるページで、一旦、印刷処理を中断することとなり、誤って前のページの処理中に設定変更を行なってしまうという危険性は少ないものの、印刷処理が遅くなり、このようなジョブの処理パフォーマンスを低下させていた。
【０００７】
そこで、本発明の目的は、コントローラとエンジンとを備えるプリンタであって、１ジョブ中にカラー印刷とモノクロ印刷が混ざっているなど、１ジョブ中において環境設定の変更が必要な場合に、効率よく印刷を行なうことのできるプリンタ等を提供することである。
【課題を解決するための手段】
【０００８】
上記の目的を達成するために、本発明の一つの側面は、コントローラとエンジンを備え、印刷ジョブの各ページの処理において、前記コントローラが、対象ページの画像を前記エンジンの動作に同期して前記エンジンへ転送する画像転送処理を実行し、前記エンジンが転送された画像に基づいて当該ページの印刷動作を実行する、プリンタにおいて、前記印刷ジョブの各ページの処理において、前記画像転送処理の前に、前記エンジンから前記コントローラへ所定の信号を送信することである。
【０００９】
更に、上記の発明において、好ましい態様は、前記エンジンからコントローラへの所定信号の送信は、前記対象ページの前のページについての排紙処理が終了する前に行なわれることを特徴とする。
【００１０】
更に、上記の発明において、好ましい態様は、前記エンジンからコントローラへの所定信号の送信は、前記対象ページの印刷環境が当該対象ページの前のページの印刷環境と異なる場合に行なわれることを特徴とする。
【００１１】
更にまた、上記の発明において、好ましい態様は、前記エンジンからコントローラへの所定信号の送信は、前記エンジンが、前記対象ページの印刷環境に合わせるための切替動作を開始した時点で行なわれることを特徴とする。
【００１２】
更に、上記の発明において、好ましい態様は、前記コントローラは、前記所定信号を受信した後に、前記対象ページの印刷環境に合った処理を行なうために前記コントローラの設定を変更することを特徴とする。
【００１３】
また、上記の発明において、一つの態様は、前記印刷環境が異なるとは、少なくともカラー印刷モードとモノクロ印刷モードを含む印刷モードが異なることであることを特徴とする。
【００１４】
上記の目的を達成するために、本発明の別の側面は、コントローラとエンジンを備え、印刷ジョブの各ページの処理において、前記コントローラが、対象ページの画像を前記エンジンの動作に同期して前記エンジンへ転送する画像転送処理を実行し、前記エンジンが転送された画像に基づいて当該ページの印刷動作を実行する、プリンタにおいて、前記印刷ジョブの各ページの処理において、前記コントローラは、前記対象ページの印刷環境が当該対象ページの前のページの印刷環境と異なるか否かに関わらず、前記画像転送処理のための画像データが準備できた時点で前記エンジンへ印刷指示を出し、前記エンジンから送信される同期信号に基づいて前記画像転送処理を開始することである。
【００１５】
更に、上記の発明において、好ましい態様は、前記対象ページの印刷環境が当該対象ページの前のページの印刷環境と異なる場合には、前記エンジンは、前記対象ページの印刷環境に合わせるための切替動作を開始した時点で、前記コントローラへ切替信号を送信し、前記コントローラは、当該切替信号に基づいて、前記対象ページの印刷環境に合った処理を行なうために前記コントローラの設定を変更することを特徴とする。
【００１６】
上記の目的を達成するために、本発明の更に別の側面は、コントローラとエンジンを備え、印刷ジョブの各ページの処理において、前記コントローラが、対象ページの画像を前記エンジンの動作に同期して前記エンジンへ転送する画像転送処理を実行し、前記エンジンが転送された画像に基づいて当該ページの印刷動作を実行するプリンタ、における印刷制御方法において、前記印刷ジョブの各ページの処理において、前記画像転送処理の前に、前記エンジンから前記コントローラへ所定の信号を送信させることである。
【００１７】
本発明の更なる目的及び、特徴は、以下に説明する発明の実施の形態から明らかになる。
【発明を実施するための最良の形態】
【００１８】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１９】
図１は、本発明を適用したプリンタの実施の形態例にかかる構成図である。図１に示すプリンタ２が本発明を適用したプリンタであり、ホストコンピュータ１からの印刷要求に基づいて、所定の印刷媒体（用紙）に対して印刷処理を行なう装置である。かかるプリンタ２は、１ジョブ中の前記後段処理において、前のページとカラー／モノクロの設定が異なる場合に、エンジン４側からコントローラ３側へモード切替信号を送ることにより、従来のような処理の中断をせずに、効率よく処理を行なおうとするものである。
【００２０】
図１に示すホストコンピュータ１は、プリンタ２に対して印刷要求を行なう所謂パーソナルコンピュータなどで構成されるホスト装置であり、ユーザ操作等に基づいて印刷要求にかかる印刷データをプリンタ２に送信する。
【００２１】
プリンタ２は、図１に示すように、コントローラ３とエンジン４を備える、いわゆるタンデム式のレーザプリンタである。
【００２２】
コントローラ３は、前記ホストコンピュータ１から送信される印刷データを受信し、当該データに含まれる制御コマンドを解釈すると共に、当該データに含まれる画像のデータに対して所定の処理を施してエンジン４側へ提供する画像データを生成する。コントローラ３には、図１に示すように、Ｉ／Ｆ３１、ＣＰＵ３２、ＲＯＭ３３、ＲＡＭ３４、及び画像転送用ＡＳＩＣ３５が備えられる。
【００２３】
Ｉ／Ｆ３１は、ホストコンピュータ１から送信される前記印刷データを受信する部分であり、ＲＯＭ３３は、プリンタ２を制御するための各種プログラムを記憶する部分である。ＲＡＭ３４は、前記受信した印刷データ、当該印刷データから生成される前記画像データ等を格納するメモリであり、ここに格納された各ページの前記画像データは、前述した後段の処理において、ここからエンジン４側に転送されていく。
【００２４】
ＣＰＵ３２は、前記ＲＯＭ３３に記憶されるプログラム等に従って、本プリンタ２における各種処理を制御する部分であるが、特に、受信した印刷データから前記画像データを生成してＲＡＭ３４に格納する処理、エンジン４の動作に同期して前記画像データをエンジン４に転送する処理等を司る。本プリンタ２では、ＣＰＵ３２が行なう、前述した後段の処理、すなわち、エンジン動作に同期した画像データの転送処理等に特徴があり、その具体的な内容については後述する。
【００２５】
次に、画像転送用ＡＳＩＣ３５は、上記画像データの転送処理時に、所定のタイミングで前述したＲＡＭ３４に格納されている画像データを読み出し、それらに所定の処理を施した後にエンジン４側に引き渡す、コントローラ３とエンジン４とのインターフェースを司る部分である。なお、この画像転送用ＡＳＩＣ３５には、図示していないが、データを一時的に格納するメモリ、解凍部、スクリーン処理部等が備えられ、ＲＡＭ３４から読み出した画像データに対して、圧縮されたデータの解凍、ドットのデータへ変換するスクリーン処理などがなされる。また、画像転送用ＡＳＩＣ３５で行なわれる処理は、前述のとおり、印刷モード等、処理対象としているページについての印刷内容により変更される必要があるため、前のページとカラー／モノクロの設定が異なる場合などには、その設定が変更される。
【００２６】
エンジン４は、図１に示すように、エンジンコントローラ４１と機構部４２を備える。エンジンコントローラ４１は、図示されていないが、ＣＰＵ、ＲＯＭ、ＲＡＭ等で構成され、後述する機構部４２の各部の動作を制御する。なお、前述したコントローラ３からの画像データの転送処理時に、前のページとカラー／モノクロの設定が異なる場合には、モード切替信号をコントローラ３側へ送信する処理を実行するが、その詳細については後述する。
【００２７】
次に、機構部４２は、図示されていないが、一般のタンデム式プリンタと同様に、色毎に（例えば、Ｙ（イエロー）Ｍ（マゼンタ）Ｃ（シアン）Ｋ（ブラック）毎に）備えられた画像形成ユニット、及び、転写ユニット、定着ユニット等で構成される。各色の画像形成ユニットには、感光体ドラム、当該感光体ドラムを帯電する帯電ユニット、コントローラ３側から送られるデータに基づいて感光体ドラムに潜像を形成する露光ユニット、及び当該潜像を各色の現像材による像に現像する現像装置等が備えられる。
【００２８】
転写ユニットには、中間転写体（中間媒体）が設けられ、ここに各色の感光体に形成されたトナー像が転写される。中間転写体に形成されたトナー像は、その後、紙などの印刷媒体に転写される。定着ユニットは、印刷媒体上に転写されたトナー像を媒体に溶着させて永久像とする部分であり、定着ユニットを通った印刷媒体は、その後、プリンタ２外に排出（排紙）される。
【００２９】
以上説明したような構成を有する本実施の形態例に係るプリンタ２では、コントローラ３において前述した画像データの生成が行なわれた以降の、いわゆる後段処理時に、カラー／モノクロのモード切替が行なわれる場合の処理に特徴があり、以下、１ページ分の後段処理について具体的に説明する。図２は、各ページの後段処理についてその処理手順を例示したフローチャートである。
【００３０】
まず、コントローラ３は、処理対象のページについて前述した画像データの生成が完了すると（ステップＳ１）、そのデータをＲＡＭ３４に格納する。対象のページがカラー印刷であれば、例えば、ＹＭＣＫ４色の各データがＲＡＭ３４に収められ、対象のページがモノクロ印刷であれば、ＫのデータがＲＡＭ３４に収められることになる。
【００３１】
この時点で、コントローラ３側としては、当該ページについてエンジン４側へ転送するデータの準備ができたことになるので、エンジン４側の状況に関わらず、直ぐに、エンジン４側への諸設定の指定（ステップＳ２）と当該ページの印刷開始指示（ステップＳ３）を行なう。ここで、カラー／モノクロの印刷モードについて、その設定が前のページと変更になる場合に、従来であれば、前述のように、画像データの生成が完了した後、諸設定の指定と印刷開始指示を直ぐに行なわずに一旦処理を中断し、前のページについて排紙がなされた後に、これらの指定、指示を再開させていた。しかし、本プリンタ２では、カラー／モノクロの設定が変更になるか否かに関わらず、処理を中断せずにこれらの指定、指示を直ぐに行なう。このように、ジョブの途中で処理を中断せずに連続処理を継続することが本プリンタ２の一つの特徴である。
【００３２】
なお、諸設定の指定（Ｓ２）においては、当該ページについて使用する給紙口及び排紙口、カラー又はモノクロの印刷動作のための各種設定等がエンジン４に対して指定される。なお、この諸設定の指定（Ｓ２）は全てのページについて行なわずに、必要が生じた場合に行なうようにしてもよい。
【００３３】
このようにエンジン４に対する諸設定の指定（Ｓ２）と印刷開始指示（Ｓ３）がなされると、エンジン４側は、前のページの処理状況に合わせて、指定された設定を行なうが、対象ページについてのカラー／モノクロの設定が、前ページのカラー／モノクロの設定と同じである場合には（ステップＳ４のＮｏ）、当該設定に係る変更動作を行なわずに、その他の準備ができ、前ページの処理に合わせた所定のタイミングで、コントローラ３へ、当該ページについて画像データの転送開始をするタイミングになったことを知らせる同期信号を発信する（ステップＳ１０）。
【００３４】
コントローラ３は、このように、カラー／モノクロの設定が前ページのカラー／モノクロの設定と同じである場合には（ステップＳ５のＮｏ）、前記印刷開始指示（Ｓ３）の後、生成した画像データを転送するタイミングを待ち、上記エンジン４側から発せられる同期信号を受けて、画像データの転送処理を開始する（ステップＳ１１）。具体的には、ＲＡＭ３４に格納された画像データが順次読み出され、前述した画像転送用ＡＳＩＣ３５での処理が施された後に、エンジン４へ送られていく。なお、このエンジン４からの同期信号に合わせて画像データをエンジン４へ転送する処理（Ｓ１０及びＳ１１）を、通常、画像転送と称する。
【００３５】
このように画像が転送されると、エンジン４側では、当該ページについての印刷動作が開始され、前述したエンジンコントローラ４１の制御に基づいて前記機構部４２の各部が動作し、最終的に印刷が完了した当該ページの印刷媒体がプリンタ２から排紙される（ステップＳ１２）。
【００３６】
一方、ステップＳ４に戻って、対象ページについてのカラー／モノクロの設定が、前ページのカラー／モノクロの設定と異なる場合には（ステップＳ４のＹｅｓ）、エンジン４側でカラー／モノクロの切替動作が必要となり、まず、当該切替動作を開始してよいタイミングになるまで待つ。この切替動作を開始してよいタイミングは、例えば、前ページについて、各色の感光体ドラムから中間転写体（中間媒体）への転写が完了したタイミングとすることができる。
【００３７】
そして、そのタイミングになると、エンジン４は、モード切替動作を開始する（ステップＳ６）と共に、モード切替信号をコントローラ３へ送信する（ステップＳ７）。このモード切替信号を、前述した画像転送の処理の前に、エンジン４側からコントローラ３側へ送信することが、本プリンタ２の大きな特徴である。その後、エンジン４側では、モード切替動作を実行し、当該ページの印刷動作が開始できるよう準備を進める。例えば、対象ページにおいてモノクロ印刷モードに変更になる場合には、使用しないＹＭＣの各感光体ドラムが離間される。
【００３８】
一方、コントローラ３は、前記発せられたモード切替信号を受信し（ステップＳ８）、それをトリガーとして、画像転送用ＡＳＩＣ３５のモード設定を変更する（ステップＳ９）。すなわち、対象ページの印刷モードに合った処理を実行するためにその設定を変更する。コントローラ３が前記モード切替信号を受信した時点では、エンジン４側で、既に、前ページについて各色の中間転写体への転写が完了しているなど、前ページの画像データについてエンジン４側への転送が終了しているので、このタイミングで画像転送用ＡＳＩＣ３５のモード設定を変更しても支障をきたすことはない。
【００３９】
その後、エンジン４側で当該ページの準備が完了すると、前述した同期信号が発せられ（ステップＳ１０）、それをトリガーとして、コントローラ３からの画像データの転送処理が開始される（ステップＳ１１）。この画像転送の際、画像転送用ＡＳＩＣ３５では上記変更された設定に基づき、当該ページに相応しい処理を実行する。画像が転送されると、エンジン４側では、前述したように、当該ページについての印刷動作を、変更された相応しい環境で実行する（ステップＳ１２）。
【００４０】
このようにして、印刷ジョブ内の各ページについて後段処理がなされる。
【００４１】
以上説明したように、本実施の形態例に係るプリンタ２では、印刷ジョブの各ページの後段処理において、カラー／モノクロの設定が前のページと比べて変更になったか否かに関わらず、対象ページの画像データが生成された時点で、コントローラ３からエンジン４へ印刷開始指示が出され、カラー／モノクロの設定が前のページと比べて変更になった場合には、エンジン４側におけるモード切替動作の開始のタイミングで、エンジン４側からコントローラ３へモード切替信号が送信される。そして、コントローラ３側では、当該モード切替信号の受信により、画像転送用ＡＳＩＣ３５のモード設定を変更する。
【００４２】
従って、１ジョブ内にカラー印刷とモノクロ印刷が混在する場合に、印刷モードが変わるページの処理を前ページが排紙されるまで中断させるという従来のような制御方法よりも、早く印刷処理を完了させることができる。
【００４３】
図３は、印刷モードが変わるページにおける処理タイミングを例示したタイムチャートである。図３の（Ａ）は、本プリンタ２における処理タイミングの一例を示し、図３の（Ｂ）は、従来法による処理タイミングの一例を示している。両タイムチャートにおいて、左端は、対象ページについてコントローラ３における画像データの生成が完了したタイミングである。その後、（Ａ）に示す本プリンタ２では、直ぐに印刷開始指示が出され（図中の下向きの矢印）、エンジン４では、前述のとおり、前ページの処理について中間媒体への転写が完了した時点で、コントローラ３へのモード切替信号が発せられる（図中の上向きの矢印）。
【００４４】
その後、コントローラ３側では、画像転送用ＡＳＩＣ３５のモード設定を変更する処理が行なわれ、エンジン４側では、モード切替動作が実行される。そして、このモード切替動作が完了すれば、図３の（Ａ）に示すように、コントローラ３からのデータ転送（画像転送）が開始される。
【００４５】
一方、図３の（Ｂ）では、画像データの生成が完了したタイミングでは印刷開始指示が出されず、前ページの排紙が完了した時点で、その旨の信号（図中の上向きの矢印）を受けて印刷開始指示（図中の下向きの矢印）が出される。その後、図に示すように、コントローラ３側では、画像転送用ＡＳＩＣ３５のモード設定を変更する処理が行なわれ、エンジン４側では、モード切替動作が実行されて、このモード切替動作が完了後、コントローラ３からのデータ転送（画像転送）が開始される。
【００４６】
図３の（Ａ）と（Ｂ）を比較してもわかるとおり、本プリンタ２では、従来の方法よりも処理を早く進行させることができ、１ジョブ内にカラー印刷とモノクロ印刷が混在する場合の処理を効率よく行なって処理パフォーマンスを向上させることができるといえる。
【００４７】
また、前述のとおり、前ページの画像データについてエンジン４側への転送が終了した後に、画像転送用ＡＳＩＣ３５のモード設定が変更されるので、設定変更が早すぎて支障をきたしてしまうこともない。
【００４８】
なお、本実施の形態例では、１ジョブ内でカラー／モノクロの設定が変更される場合を示したが、１ジョブ内で印刷媒体の紙の種類が変更されるなど、１ジョブ内で画像転送用ＡＳＩＣ３５の設定及びエンジン４の環境を変更させる必要がある場合全般に、本発明を適用することができる。なお、エンジン４からのモード切替信号の送信タイミングは、設定や環境を変更させる理由によって適宜決定される。
【００４９】
また、本実施の形態例では、プリンタ２はタンデム式のプリンタであったが、１色ずつ処理を行なう所謂４サイクルのレーザプリンタなど、他の方式のプリンタにも本発明を適用することができる。
【００５０】
本発明の保護範囲は、上記の実施の形態に限定されず、特許請求の範囲に記載された発明とその均等物に及ぶものである。
【図面の簡単な説明】
【００５１】
【図１】本発明を適用したプリンタの実施の形態例にかかる構成図である。
【図２】各ページの後段処理についてその処理手順を例示したフローチャートである。
【図３】印刷モードが変わるページの処理タイミングを例示したタイムチャートである。
【符号の説明】
【００５２】
１  ホストコンピュータ、  ２  プリンタ、  ３  コントローラ、  ４  エンジン、  ３１  Ｉ／Ｆ、  ３２  ＣＰＵ、  ３３  ＲＯＭ、  ３４  ＲＡＭ、  ３５  画像転送用ＡＳＩＣ、  ４１  エンジンコントローラ、  ４２  機構部
【図１】
0004586691.tif 000002
【図２】
0004586691.tif 000003
【図３】
0004586691.tif 000004